(57)【要約】【課題】  幼植物が受けるダメージを最小限に食い止めるための簡便、安価、且つ信頼性のある植物栽培方法を提供する。【解決手段】  各セルが、上方が開口し、円筒状又は円錐台形型の内側壁面を有する容器を具備し、容器が種を含む増殖基質によって満たされている多数のセルを使用する植物栽培方法であって、基質を容器に入れる前に、粉末の層を容器の内側壁面に塗付する。【選択図】  図４
2009508469.tif 000002
【特許請求の範囲】
【請求項１】
各セルが、上方が開口し、円筒状又は円錐台形型の内側壁面を有する容器を具備し、前記容器が種を含む増殖基質によって満たされている多数のセルを使用する植物栽培方法であって、前記増殖基質を前記容器に入れる前に、粉末の層が前記容器の前記内側壁面に塗付されることを特徴とする植物栽培方法。
【請求項２】
各増殖基質が固定ユニットを形成するために、前記増殖基質が土壌混合物及びバインダーによって構成される請求項１に記載の植物栽培方法。
【請求項３】
前記バインダーが前記土壌混合物と混合するように前記セルを加熱した後、前記土壌混合物及び前記バインダーが前記セルの中にて混合及び入れられる請求項１又は２に記載の植物栽培方法。
【請求項４】
前記増殖基質を除去しても、前記粉末の層が少なくとも前記増殖基質のより多くの部分に付着するように、前記粉末の粒子が前記バインダーと結合している請求項３に記載の植物栽培方法。
【請求項５】
前記加熱は水蒸気を用いて行われる請求項３又は４に記載の植物栽培方法。
【請求項６】
前記加熱の時間が３〜１２０秒である請求項３乃至５のいずれかに記載の植物栽培方法。
【請求項７】
前記粉末は、静電的に前記内側壁面及び底部に帯電させることで塗付される請求項１乃至６のいずれかに記載の植物栽培方法。
【請求項８】
前記粉末が乳化されたエマルションとして塗付されると同時に、前記エマルションが乾燥された後にも前記内側壁面及び底部に塗付される請求項１乃至６のいずれかに記載の植物栽培方法。
【請求項９】
前記エマルション液が、水又はワックス若しくは揮発性液体で成っている請求項８に記載の植物栽培方法。
【請求項１０】
前記エマルションが表面減衰張力型フラックスを含んでいる請求項８又は９に記載の植物栽培方法。
【請求項１１】
前記表面減衰張力型フラックスの量が、エマルション１ｋｇあたり０．２５〜４ｇ、好ましくは０．７５〜１．５０ｇである請求項１０に記載の植物栽培方法。
【請求項１２】
バイエルＢ−８５のようなｐＨコントローラが前記エマルションに添加される請求項１乃至１１のいずれかに記載の植物栽培方法。
【請求項１３】
前記ｐＨコントローラの値は、前記エマルションのｐＨ値を１〜２．５減少させるようにした請求項１２に記載の植物栽培方法。
【請求項１４】
カルボキシメチルセルロースのような安定剤及び／又は増粘剤が前記エマルションに添加される請求項８乃至１３のいずれかに記載の植物栽培方法。
【請求項１５】
前記エマルションがスプレーによって塗付される請求項８乃至１４のいずれかに記載の植物栽培方法。
【請求項１６】
前記エマルションは前記セルを浸漬することによって塗付される請求項８乃至１４のいずれかに記載の植物栽培方法。
【請求項１７】
前記エマルション中の前記粉末の量が少なくとも１０重量％、好ましくは少なくとも２０重量％、より好ましくは３０重量％である請求項８乃至１４のいずれかに記載の植物栽培方法。
【請求項１８】
前記粉末粒子の粒径が２００μｍより小さく、好ましくは２０μｍより小さく、より好ましくは２μｍより小さい請求項１乃至１７のいずれかに記載の植物栽培方法。
【請求項１９】
前記粉末は粘土、石灰、タルカム、パーライト、泥炭粉末、セルロース粒子の群で成る１つ若しくはそれ以上の物質を含んでいる請求項１乃至１８のいずれかに記載の植物栽培方法。
【請求項２０】
前記底部に近接する前記内側壁面の前記粉末の層の厚さが少なくとも０．３０ｍｍ、好ましくは０．７０ｍｍである請求項１乃至１９のいずれかに記載の植物栽培方法。
【請求項２１】
前記粉末の層の厚さが最大でも１．５ｍｍである請求項１乃至２０のいずれかに記載の植物栽培方法。
【請求項２２】
前記容器は、好ましくはポリプロピレン、ポリエチレン又はポリスチレンのようなプラスチック材料から成る請求項１乃至２１のいずれかに記載の植物栽培方法。
【請求項２３】
前記容器がトレイを形成するように相互接続されている請求項１乃至２２のいずれかに記載の植物栽培方法。
【請求項２４】
各セルが、上方が開口し、円筒状又は円錐台形型の内側壁面を有する容器を具備し、前記容器が種を含む増殖基質によって満たされている多数のセルを具備した培養培地であって、前記容器の内側壁面を終端とする前記増殖基質の表面に粉末の層が備えられていることを特徴とする培養培地。
【発明の詳細な説明】
【技術分野】
【０００１】
本発明は、各セルが、上方が開口し、円筒形或いは円錐台形の内側壁面を有している容器を具備し、容器が種を含む増殖基質によって満たされている多数のセルを使用する植物の栽培方法に関する。本発明の関連事項として、円筒形或いは円錐台形という用語は、角柱及び台形錐体という用語も包含する。
【背景技術】
【０００２】
オランダ国第１０１７４６０号特許公報（以下、特許文献１とする。）とオランダ国第１０２３３５４号特許公報（以下、特許文献２とする。）に、上述の植物栽培方法の例が開示されている。この様な植物栽培方法（特許文献１及び特許文献２に開示された方法）を使用したときに生じる問題は、植物をより大きな栽培床に移す際、容器から移動するときに増殖基質が崩れたり、増殖基質の断片が後に残ったり、又は増殖基質を取り除くために多くの労力を使わなくてはならないといったことである。この様な問題は、植物の根にダメージを引き起こす。容器の壁に対して離型（剥離）処理を示すようにするために、離型剤をスプレーすることが知られている。しかしながら、離型剤の効果は、基質及び容器の組成に強く依存し、若干の違った組成がある場合には、離型剤の効果が、著しく減少してしまう。従って、増殖基質は、例えば、離型剤の効果を失活させるような特有の肥料を含む。
【特許文献１】オランダ国第１０１７４６０号特許公報
【特許文献２】オランダ国第１０２３３５４号特許公報
【発明の開示】
【発明が解決しようとする課題】
【０００３】
上述の事情に鑑み、本発明の目的は、幼植物が受けるダメージを最小限に食い止めるための簡便、安価、且つ信頼性のある植物栽培方法を提供することにある。
【課題を解決するための手段】
【０００４】
本発明によれば、増殖基質が容器に入れられる前に、粉末の層が内側壁面と（もしあれば）容器の底部に塗付される。前記粉末は、壁面に付着しないような層を形成し、結果として増殖基質を、基質断片が壁或いは底部に粘着することなく、容易に除くことができる。基質又は容器の化学組成は不溶性粉末の活動には影響しない。粉末の離型作用は、通常粉末が湿る時に高められる。
【０００５】
各々の増殖基質が、固定ユニット（例えばブロック若しくは栓）を形成するには、望ましくは増殖基質が土壌混合物及びバインダーによって構成される。この例は、特許文献１及び特許文献２でも議論されている。バインダーは接着剤或いは成形剤になり得る。バインダーを使用したときには、壁面及び底部への接着に関する上記の問題は、通常はより重要な役割を果たす。本発明によれば、好ましくは、固定ユニットは土壌混合物（例えば、泥炭、砂、粘土、堆肥、粒状ココヤシ、ココヤシ繊維、おがくず、紙パルプ、藁、コーヒーの残りかす、ガラス残留物、麻繊維、岩綿又はパーライト）及びバインダー（例えば、ポリオレフィン、ポリウレタン、ポリ乳酸、ポリエステルアミド、ポリエステル繊維、マターバイポリマー（バイオプラスチックの１つ）、エチレン酢酸ビニルコポリマー（ＥＶＡ）、ポリカプロラクトン又は熱可塑性澱粉のような熱可塑性ポリマー）に混合することにより、並びにバインダーと土壌混合物が密着するようにするためにセルを温めた後にセルの中へ該混合物を入れることによって形成される。結合（バインダーと土壌混合物による）は、冷却すると安定する。結果として、増殖基質を除去した場合に粉末層がより多くの部分で増殖基質に接着するように、粉末粒子はバインダーとも混練する。前記粉末層が多孔性であることで、植物の根はその粉末層を通り抜けて成長する。前記加熱は、好ましくは水蒸気で行われ、その加熱時間は好ましくは３〜１２０秒である。例えば、ラテックス、アクリル酸エステル、澱粉又はポリウレタンを基盤としたコールドグルー接着剤は、バインダーとして使用される。
【０００６】
粉末の塗付には種々の方法がある。結果的に粉末を呼び込むように、粉末は、静電的に内側壁面及び底部に帯電させることによって塗付される。好ましい態様は、粉末が乳化されたエマルションとして塗付されると同時に、前記エマルションが乾燥された後にも内側壁面及び底部に塗付されることである。エマルションはスプレーすることによって塗付される。また、セルをエマルションに浸漬することによっても、エマルションは塗付される。好ましくは、粉末は、壁に均一に塗付、即ち粉末は壁に薄く付着している。このことは、とりわけ粉末、エマルション流体（液）及び任意の添加剤の選択によって保管される。
【０００７】
エマルション液は、好ましくは水（例えば、容器がポリプロピレン製である場合）又はワックス若しくは揮発性液体（例えば、容器がポリスチレン又は伸張型ポリスチレン製である場合）で成っている。エマルションは、好ましくは表面減衰張力型フラックスを含んでいる。前記フラックスの量は、エマルション１ｋｇあたり０．２５〜４ｇであり、好ましくは、０．７５〜１．５０ｇである。増殖基質のｐＨ値とおおよそ同じ値、即ちエマルションのｐＨ値を１〜２．５減少させるためのｐＨコントローラの値及び質を保つものとして、更にバイエル（Ｂａｙｅｒ）Ｂ−８５（登録商標）のようなｐＨコントローラが前記エマルションに添加（接触）される。更に好ましくは、エマルションは、カルボキシメチルセルロースのような安定剤及び／又は増粘剤を含んでいる。
【０００８】
好ましくは、粉末粒子の粒径は平均的に２００μｍより小さく、より好ましくは２０μｍより小さく、更に好ましくは２μｍより小さい。好ましくは、前記粉末は粘土（例えばベントナイト又はイライト）、石灰、タルカム、パーライト、泥炭粉末、セルロース粒子の群で成る１つ若しくはそれ以上の物質を含んでいる。
【０００９】
エマルション中の粉末の量は、好ましくは少なくとも１０重量％、より好ましくは少なくとも２０重量％、更に好ましくは３０重量％である。底部に近接する内側壁面上の粉末層の厚さは、好ましくは少なくとも０．３０ｍｍであり、より好ましくは少なくとも０．７０ｍｍである。この様な場合、基質が容器の中に残るというのは、大抵底部の近くで起こる。粉末層の厚さは、好ましくは最大で１．５ｍｍである。
【００１０】
好ましくは、容器はポリプロピレン（ＰＰ）若しくはポリエチレン（ＰＥ）若しくはポリスチレン又はこれらの組み合わせのようなプラスチックから成る。好ましい態様は、容器は、トレイを形成するように相互接続される。
【００１１】
本発明はまた、各々円錐台形型内側壁面の円筒を有する容器を具備するセルを具備した培養培地に関連しており、前記容器は上面が開口し、前記容器は種を含んだ増殖基質で満たされており、前記容器の内側壁面を終端とする前記増殖基質の表面は、粉末の層が備えられている。
【発明を実施するための最良の形態】
【００１２】
以下、本発明の実施形態を、図面を参照して詳細に説明する。
【００１３】
図１及び図２は、長方形マトリクスに並べられた多数の容器２から成るトレイ１を示している。トレイ１はプラスチック材料で出来ている。容器２は、円錐台形型側壁面３と穴５（図４及び図５参照）が施されている底部４で成っている。容器２は、側面フランジ６及び上部フランジ７によって相互接続されている。図１は培養培地にエマルションを与えるときの斜視図であり、図２は粉末１０を塗付された培養培地の斜視図である。
【００１４】
図１によると、粉末エマルション層は、エマルション噴霧器８による噴霧又はエマルション浴９による浸漬によって、トレイ１に塗付される。エマルションを塗付後、容器２が満たされる前にエマルションを乾燥するのが好ましい。また、粉末は乾燥型（図示せず）に直接的に塗付される。結果を図２に示すが、粉末１０は、容器２の内側壁面と区別することができる。その方法を使用次第では、粉末１０はまた容器２の外側面に存在するが、しかしながらこの場合粉末１０は機能性がない。
【００１５】
図３、図４及び図５は、基質の栓１１及び発芽植物１２に満たされたコンテナ２を示している。基質の栓１１は、土壌混合物と熱可塑性ポリマー粒子から成り、前記粒子は、しっかりした基礎を形作るための目的で、加熱される。前記加熱（７０〜９０°Ｃ）を容器２にした上で、粉末１０は基質の栓１１に結合する。図５では、植物１２を含んだ基質の栓１１が容器２から動かされると同時に、粉末１０の結合層は、スライド及び放出層としての役割を果たしている。
【図面の簡単な説明】
【００１６】
【図１】培養培地にエマルションを与えるときの斜視図である。
【図２】粉末を塗付された培養培地の斜視図である。
【図３】増殖基質で満たされている培養培地が入っている容器の斜視図である。
【図４】図３（ＩＶ−ＩＶ）に示している容器の断面図である。
【図５】基質及び容器を動かした場合の断面図である。
【符号の説明】
【００１７】
１    トレイ
２    容器
３    円錐台形型側壁面
４    底部
５    穴
６    側面フランジ
７    上部フランジ
８    エマルション噴霧器
９    エマルション浴
１０  粉末
１１  基質の栓
１２  発芽植物
【図１】
2009508469.tif 000003
【図２】
2009508469.tif 000004
【図３】
2009508469.tif 000005
【図４】
2009508469.tif 000006
【図５】
2009508469.tif 000007
【国際調査報告】
2009508469.tif 000008
2009508469.tif 000009